(57)【特許請求の範囲】
【請求項１】
充電できる電池を内蔵する携帯機器を脱着自在にセットする装着部を有するケースと、このケースの装着部にセットされる携帯機器の電源端子に接続されて、内蔵する電池を充電する出力端子とを備える充電台であって、
前記装着部に、携帯機器を脱着自在にセットできる脱着ポケットを有するサブケースを設けており、このサブケースは、挿入される携帯機器の電池を充電する充電位置と、携帯機器を充電しない脱着位置とに移動できるようにケースに連結されており、
前記サブケースが充電位置にあっては、出力端子がサブケース内に突出して、サブケースに挿入している携帯機器の電源端子に接触し、かつサブケースが脱着位置にあっては、出力端子がサブケース内に突出されず、
さらに、前記サブケースの充電位置と脱着位置において、前記出力端子がケースに内蔵されて外部に表出されないようにし、
携帯機器の非挿入状態において、前記サブケースが脱着位置から充電位置へ移動するのを阻止するストッパを有し、このストッパは、携帯機器の挿入状態で解除されて、サブケースを脱着位置から充電位置に移動できる状態とする充電台。
【請求項２】
前記サブケースが、充電位置と脱着位置とに傾動自在にケースに連結されてなる請求項１に記載される充電台。
【請求項３】
前記サブケースが、携帯機器の上部を後方に傾斜するように傾動されて、脱着位置から充電位置に移動されるようにケースに連結されてなる請求項２に記載される充電台。
【請求項４】
前記サブケースを脱着位置と充電位置とに弾性的に付勢する駆動スプリングを備えており、この駆動スプリングは、脱着位置と充電位置との中間点を境界として、中間点より脱着位置側にあるサブケースを脱着位置方向に付勢し、中間点より充電位置側にあるサブケースを充電位置方向に付勢する請求項１に記載される充電台。
【請求項５】
前記サブケースを充電位置とする状態における前記駆動スプリングの付勢力を、前記出力端子の押圧力よりも強くしており、充電位置にあるサブケースが、駆動スプリングで弾性的に充電位置に保持されてなる請求項４に記載される充電台。
【請求項６】
前記ケースが、充電位置にある携帯機器を係止する保持凸条を備えると共に、前記サブケースが、この保持凸条を脱着ポケット内に突出させるスリット開口を設けており、携帯機器を脱着ポケットにセットして、サブケースを充電位置に移動する状態で、保持凸条がスリット開口から脱着ポケットに突出して、携帯機器の係止凹部を係止して、充電位置にあるサブケースの脱着ポケットから携帯機器が抜けるのを阻止する請求項１に記載される充電台。
【請求項７】
前記サブケースの脱着ポケットが、携帯機器の本体画面を外部に表出する開口部を前面に設けている請求項１に記載される充電台。
【発明の詳細な説明】
【技術分野】
【０００１】
本発明は、主として携帯電話などの携帯機器をセットして充電する充電台に関する。
【背景技術】
【０００２】
充電台は、装着される携帯機器の電源端子に接触される正負の出力端子を備えている。正負の出力端子に金属が接触してショートすると、大きなショート電流が流れる。また、正負の出力端子の電圧が高い場合には、濡れた手で接触すると感電する可能性もある。また、電圧が低い場合でも、長時間接触すると低温やけどを被るおそれがある。この弊害を解消するために、携帯機器を装着しない状態では、出力端子部をケース内に収納する充電台が開発されている（特許文献１参照）。
【特許文献１】特開２００３−９４０９号公報
【発明の開示】
【発明が解決しようとする課題】
【０００３】
この公報に記載される充電台を図１ないし図５に示す。この充電台は、携帯機器９９を嵌合して装着する凹状の装着部９２を有するケース９１と、装着部９２に携帯機器９９が装着されたことを検知する装着検知部９０と、携帯機器９９が装着部９２に装着されたとき、携帯機器９９に設けられた電源端子９９Ａと接触し、携帯機器９９に内蔵される二次電池に充電電圧を印加するための一対の出力端子部９３Ａを備える。出力端子部９３Ａは、ケース９１内に配設されて、ケース９１に設けられた端子窓９５から装着部９２に突出するように設けられている。装着検知部９０は、ケース９１内に軸支され、一端の突出部９７が装着部９２の底面に設けられた貫通孔９６を貫通して突出する傾動体９４と、傾動体９４の突出部９７を突出方向に付勢するスプリング線９３とを備える。携帯機器９９が装着され、傾動体９４の一端がスプリング線９３の付勢力に抗して押し下げられたとき、傾動体９４の回転に連動して出力端子部９３Ａを端子窓９５から装着部９２に押し出して、携帯機器９９の電源端子９９Ａと接触させる。
【０００４】
さらに、この充電台は、装着検知部９０の傾動体９４を、左右に分割して独立に回転支持している。この左右の傾動体９４が押されることにより出力端子部９３Ａが端子窓９５から装着部９２に押し出されるようにしている。この構造の充電台は、左右に分割された個々の傾動体９４を独立して傾動させるので、左右両側の傾動体９４をバランスして均等な力で押し下げたときのみ、２つの出力端子部９３Ａが安定して携帯機器９９の電源端子９９Ａに接触する。左右両側の傾動体がアンバランスに押し下げられると、両方の出力端子部を安定して携帯機器の電源端子に接触できない欠点がある。また、この充電台は、長期間にわたって安定して出力端子部９３Ａを携帯機器９９の電源端子９９Ａに接触して確実に充電するのが難しくなる欠点がある。それは、出力端子部９３Ａと電源端子９９Ａの表面や汚れ等によって確実に接触できなくなるからである。さらに、以上の構造の充電台は、正負の出力端子部９３Ａを突出させるメカニズムが複雑になる欠点もある。
【０００５】
本発明は、以上の欠点を解決することを目的に開発されたものである。本発明の重要な目的は、全体の構造を簡単にして製造コストを低減しながら、出力端子のショートや感電を防止して安全に使用できる充電台を提供することにある。
【課題を解決するための手段】
【０００６】
本発明の充電台は、前述の目的を達成するために以下の構成を備える。
充電台は、充電できる電池を内蔵する携帯機器９、３９、６９を脱着自在にセットする装着部２、３２、６２を有するケース１、３１、６１と、このケース１、３１、６１の装着部２、３２、６２にセットされる携帯機器９、３９、６９の電源端子９Ａ、３９Ａ、６９Ａに接続されて、内蔵する電池を充電する出力端子３、３３、６３とを備える。充電台は、装着部２、３２、６２に、携帯機器９、３９、６９を脱着自在にセットできる脱着ポケット５、３５、６５を有するサブケース４、３４、６４を設けている。このサブケース４、３４、６４は、挿入される携帯機器９、３９、６９の電池を充電する充電位置と、携帯機器９、３９、６９を充電しない脱着位置とに移動できるようにケース１、３１、６１、に連結している。さらに、充電台は、サブケース４、３４、６４が充電位置にあっては、出力端子３、３３、６３がサブケース４、３４、６４内に突出して、サブケース４、３４、６４に挿入している携帯機器９、３９、６９の電源端子９Ａ、３９Ａ、６９Ａに接触し、かつサブケース４、３４、６４が脱着位置にあっては、出力端子３、３３、６３がサブケース４、３４、６４内に突出しないようにしている。さらに、サブケース４、３４、６４の充電位置と脱着位置において、出力端子３、３３、６３がケース１、３１、６１に内蔵されて外部に表出しないようにしている。
【０００７】
本発明の充電台は、携帯機器９、３９、６９の非挿入状態において、サブケース４、３４、６４が脱着位置から充電位置へ移動するのを阻止するストッパ６、３６、６６を有する。このストッパ６、３６、６６は、携帯機器９、３９、６９の挿入状態で解除されて、サブケース４、３４、６４を脱着位置から充電位置に移動できる状態としている。
【０００８】
本発明の充電台は、サブケース４、３４、６４を、充電位置と脱着位置とに傾動自在にケース１、３１、６１に連結している。
【０００９】
本発明の充電台は、携帯機器９の上部を後方に傾斜するように傾動させて、脱着位置から充電位置に移動するように、サブケース４をケース１に連結している。
【００１０】
本発明の充電台は、サブケース４、３４、６４を脱着位置と充電位置とに弾性的に付勢する駆動スプリング８、３８、６８を備えている。この駆動スプリング８、３８、６８は、脱着位置と充電位置との中間点を境界として、中間点より脱着位置側にあるサブケース４、３４、６４を脱着位置方向に付勢し、中間点より充電位置側にあるサブケース４、３
４、６４を充電位置方向に付勢する。
【００１１】
さらに、本発明の充電台は、サブケース４、３４、６４を充電位置とする状態における駆動スプリング８、３８、６８の付勢力を、出力端子３、３３、６３の押圧力よりも強くしており、充電位置にあるサブケース４、３４、６４を、駆動スプリング８、３８、６８で弾性的に充電位置に保持している。
【００１２】
本発明の充電台は、ケース１、３１、６１が、充電位置にある携帯機器９、３９、６９を係止する保持凸条１５、４５、７５を備えると共に、サブケース４、３４、６４が、この保持凸条１５、４５、７５を脱着ポケット５、３５、６５内に突出させるスリット開口２９、５９、８９を設けている。この充電台は、携帯機器９、３９、６９を脱着ポケット５、３５、６５にセットして、サブケース４、３４、６４を充電位置に移動する状態で、保持凸条１５、４５、７５がスリット開口２９、５９、８９から脱着ポケット５、３５、６５に突出して、携帯機器９、３９、６９の係止凹部９Ｄ、３９Ｄ、６９Ｄを係止して、充電位置にあるサブケース４、３４、６４の脱着ポケット５、３５、６５から携帯機器９、３９、６９が抜けるのを阻止する。
【００１３】
本発明の充電台は、サブケース４の脱着ポケット５が、携帯機器９の本体画面９Ｂを外部に表出する開口部５Ａを前面に備えている。
【発明の効果】
【００１４】
本発明の充電台は、全体の構造を簡単にして製造コストを低減しながら、出力端子のショートや感電を防止して安全に使用できる特徴がある。それは、本発明の充電台が、携帯機器を脱着自在に挿入できるサブケースを可動できるようにケースに連結すると共に、ケースに内蔵されて外部に表出されない出力端子を、携帯機器を挿入するサブケースを充電位置に移動して、携帯機器の電源端子に接触させるからである。この構造の充電台は、サブケースを脱着位置とする状態では、出力端子がサブケース内に突出しないので、サブケースに出力端子が表出しない。さらに、出力端子はケース内にあって、外部に表出されない。したがって、携帯機器をサブケースに挿入してサブケースを充電位置に移動することで、出力端子には接触できるが、出力端子が外部に表出することがなく、出力端子のショートや低温やけどを確実に阻止できる。
【００１５】
さらに、本発明の充電台は、携帯機器の非挿入状態において、サブケースが脱着位置から充電位置へ移動するのを阻止するストッパを設けており、携帯機器の挿入状態において、このストッパを解除して、サブケースを脱着位置から充電位置に移動できるようにしている。この充電台は、携帯機器を挿入しない状態ではサブケースが脱着位置から充電位置に移動しないので、携帯機器の挿入されないサブケースが充電位置に移動して、サブケース内に出力端子が突出することがない。
【００１６】
本発明の充電台は、サブケースを脱着位置と充電位置とに弾性的に付勢する駆動スプリングを備えており、脱着位置と充電位置との中間点を境界として、中間点より脱着位置側にあるサブケースを脱着位置方向に付勢し、中間点より充電位置側にあるサブケースを充電位置方向に付勢するので、サブケースの位置を脱着位置と充電位置のいずれか一方に特定しながら位置決めできる。また、脱着位置にあるサブケースが不意に充電位置に移動するのを確実に阻止しながら、充電位置にあるサブケースが不意に脱着位置に移動するのを確実に阻止できる。また、この充電台は、脱着ポケットに携帯機器が装着されたサブケースを充電位置とする状態において、サブケースが駆動スプリングで充電位置に付勢されるので、脱着ポケットに装着された携帯機器の電源端子を、出力端子に弾性的に押圧しながら充電できる特徴もある。
【００１７】
さらに、本発明の充電台は、サブケースを充電位置とする状態における駆動スプリングの付勢力を、出力端子の押圧力よりも強くしており、充電位置にあるサブケースを、駆動スプリングで弾性的に充電位置に保持している。したがって、脱着ポケットに装着された携帯機器の電源端子を出力端子に押圧しながら、サブケースを充電位置に確実に保持して、携帯機器を安定して充電できる。
【００１８】
本発明の充電台は、ケースが、充電位置にある携帯機器を係止する保持凸条を備えると共に、サブケースが、この保持凸条を脱着ポケット内に突出させるスリット開口を設けている。この充電台は、携帯機器を脱着ポケットにセットして、サブケースを充電位置に移動する状態で、保持凸条がスリット開口から脱着ポケットに突出して、携帯機器の係止凹部を係止して、充電位置にあるサブケースの脱着ポケットから携帯機器が抜けるのを阻止する。したがって、充電位置にあって、携帯機器が装着されないサブケース内に出力端子が突出する状態となるのを確実に阻止して、感電等の危険に対する安全性を保証できる。
【００１９】
本発明の充電台は、サブケースの脱着ポケットの前面に、携帯機器の本体画面を外部に表出する開口部を設けているので、本体画面を前面に向けた姿勢で携帯機器を脱着ポケットに装着して、本体画面を見ながら充電できる。
【発明を実施するための最良の形態】
【００２０】
以下、本発明の実施例を図面に基づいて説明する。ただし、以下に示す実施例は、本発明の技術思想を具体化するための充電台を例示するものであって、本発明は充電台を以下のものに特定しない。さらに、この明細書は、特許請求の範囲に示される部材を、実施例の部材に特定するものでは決してない。
【００２１】
図６ないし図１６は本発明の第１の実施例の充電台を示し、図１７ないし図２６は第２の実施例の充電台を示し、さらに図２７ないし図３４は第３の実施例の充電台を示している。
【００２２】
これらの図に示す充電台は、充電できる電池を内蔵する携帯機器９、３９、６９を脱着自在にセットする装着部２、３２、６２を有するプラスチックからなるケース１、３１、６１と、このケース１、３１、６１の装着部２、３２、６２にセットされる携帯機器９、３９、６９の電源端子９Ａ、３９Ａ、６９Ａに接続されて、内蔵する電池を充電する出力端子３、３３、６３とを備える。さらに、図に示す充電台は、ケース１、３１、６１の装着部２、３２、６２に、携帯機器９、３９、６９を脱着自在に挿入できる収納できる脱着ポケット５、３５、６５を有するプラスチックからなるサブケース４、３４、６４を設けている。
【００２３】
これらの充電台は、充電できる電池（図示せず）を内蔵する携帯機器９、３９、６９を脱着できるように装着して、内蔵している電池を充電する。携帯機器９、３９、６９は携帯電話である。ただ、本発明は、内蔵する電池を充電する携帯機器を特定するものでなく、たとえば、ＭＤやＣＤの再生または録音再生機、デジタルカメラ、ゲーム機、パック電池等の二次電池を内蔵している全ての携帯機器とすることができる。
【００２４】
サブケース４、３４、６４は、挿入される携帯機器９、３９、６９の電池を充電する充電位置と、携帯機器９、３９、６９を充電しない脱着位置とに移動できるようにケース１、３１、６１に連結している。充電台は、サブケース４、３４、６４を充電位置に移動して、出力端子３、３３、６３をサブケース４、３４、６４内に突出させて、サブケース４、３４、６４に挿入している携帯機器９、３９、６９の電源端子９Ａ、３９Ａ、６９Ａに接触させる。サブケース４、３４、６４が脱着位置にあると、出力端子３、３３、６３はサブケース４、３４、６４内に突出されず、すなわちサブケース４、３４、６４の内部に露出されない。したがって、脱着位置にあるサブケース４、３４、６４に金属などを挿入しても出力端子３、３３、６３はショートせず、またユーザーが手などを挿入しても感電したり低温やけどすることはない。さらに、出力端子３、３３、６３は、ケース１、３１、６１内にあって、サブケース４、３４、６４を充電位置と脱着位置の両方に配置する状態で、外部に表出されることはない。
【００２５】
さらに、図に示す充電台は、携帯機器９、３９、６９を挿入しない非挿入状態にあっては、脱着位置から充電位置への移動を阻止するストッパ６、３６、６６を設けている。このストッパ６、３６、６６は、携帯機器９、３９、６９の挿入状態で解除されて、サブケース４、３４、６４を脱着位置から充電位置に移動できる状態とする。この充電台は、携帯機器９、３９、６９を挿入しない状態では、サブケース４、３４、６４が脱着位置から充電位置に移動するのをストッパ６、３６、６６が阻止するので、携帯機器９、３９、６９の挿入されないサブケース４、３４、６４が充電位置に移動するのを確実に阻止して、携帯機器９、３９、６９の挿入されないサブケース内に出力端子３、３３、６３が突出するのを確実に防止できる。ただ、本発明の充電台は、必ずしもこのストッパを設ける必要はない。ストッパのない充電台は、たとえば、携帯機器が挿入されない状態では、サブケースを弾性的に脱着位置に付勢し、携帯機器が挿入されると充電位置に移動できる構造として、サブケースを充電位置と脱着位置とに移動できる。
【００２６】
図６ないし図１６に示す第１の実施例の充電台は、携帯機器９の携帯電話を脱着自在にセットするサブケース４と、このサブケース４を傾動できるように連結しているケース１と、サブケース４が脱着位置から充電位置に傾動するのを制限するストッパ６と、サブケース４にセットされる携帯電話の電源端子９Ａに接触する出力端子３とを備えている。
【００２７】
サブケース４は、携帯機器９である携帯電話を、横に長い姿勢でセットできる脱着ポケット５を有する形状にプラスチックを成形している。脱着ポケット５は、携帯機器９を上から下に挿入して定位置にセットできるように、上方を開口している。さらに、脱着ポケット５は、前面も開口して、装着される携帯機器９の本体画面９Ｂを外部に表出する開口部５Ａを前面に設けている。図の脱着ポケット５は、セットされる携帯機器９を定位置に保持するために、背面プレート２０の両側と下端には、携帯機器９の両側と底面に沿う溝形の周壁２１を設けている。この周壁２１は、先端部を携帯機器９の前面に沿う方向に折曲して、装着される携帯機器９を保持する保持部２１Ａを設けており、セットされる携帯機器９を定位置に保持できるようにしている。図の脱着ポケット５は、周壁２１の保持部２１Ａを携帯機器９の外周縁部に沿って設けて、脱着ポケット５の前面に開口される開口部５Ａを大きくしている。この構造の充電台は、本体画面９Ｂを前面に向けた姿勢で携帯機器９を脱着ポケット５に装着して、携帯機器９の本体画面９Ｂを広い開口部５Ａから外部に表示できるので、本体画面９Ｂを見ながら充電できる。
【００２８】
さらに、サブケース４は、ケース１に傾動自在に連結する回転軸アーム２２を一体的に成形して設けている。この回転軸アーム２２は、サブケース４の両側から下方に伸びるように設けられて、下端の両側に突出するように傾動軸２３を設けている。傾動軸２３は、ケース１に設けられた傾動孔１１に回転できるように案内されて、サブケース４を傾動できるようにケース１に連結している。
【００２９】
サブケース４は、携帯機器９の上部を後方に傾斜する方向に傾動されて、脱着位置から充電位置に移動される。すなわち、サブケース４は、図１０と図１２に示す脱着位置から、図１１と図１３に示す充電位置に傾動されて、セットされる携帯機器９の電池を充電する。図のサブケース４は、垂直に近い姿勢で携帯機器９を脱着して、約３５度傾斜する姿勢で携帯機器９の電池を充電する。サブケース４の脱着位置は、携帯機器９の脱着に便利な角度とし、充電位置は内蔵する電池を充電しながら、携帯電話などの本体画面９Ｂを見るのに最適な角度に設定される。したがって、脱着位置のサブケース４は、たとえば携帯機器９を垂直面から０ないし３０度傾斜させる姿勢とし、また充電位置のサブケース４は、この携帯機器９を１５度ないし６０度後方に傾斜させる姿勢とする。
【００３０】
サブケース４の傾動範囲を制限するために、図１２と図１３のサブケース４は、脱着位置と充電位置とにおいて、部分的にケース１に当接させて傾動が阻止されるようにしている。図のサブケース４は、脱着位置において、脱着ポケット５の底面をケース１に当接させると共に、充電位置においては、背面側に突出して設けたカバープレート２４の下端をケース１に当接させて傾動範囲を制限している。したがって、図に示すケース１は、脱着位置にあるサブケース４の脱着ポケット５の底面を当接させる当接面１２をケース１の開口部１０に設けると共に、充電位置にあるサブケース４のカバープレート２４の下端を当接させる位置決リブ１３をケース１の内側に突出して設けている。サブケース４は、図１２に示すように、脱着位置まで傾動すると脱着ポケット５の底面である周壁２１がケース１の当接面１２に当接して傾動が制限されると共に、図９に示すように、充電位置まで傾動するとカバープレート２４の下端が位置決リブ１３に当接して傾動が制限される。
【００３１】
さらに、充電台は、サブケース４を脱着位置と充電位置とに弾性的に付勢する駆動スプリング８を備えている。図の駆動スプリング８は拡開バネで、弾性金属線の中間をコイル状に巻いて、両端を拡開方向に付勢する構造としている。図の駆動スプリング８は、一端をケース１に設けた垂直リブ１Ａに連結すると共に、他端をサブケース４の背面に設けた垂直リブ４Ａに連結している。この駆動スプリング８は、脱着位置と充電位置との中間点を境界として、中間点より脱着位置側にあるサブケース４を脱着位置方向に付勢し、中間点より充電位置側にあるサブケース４を充電位置方向に付勢する構造としている。すなわち、駆動スプリング８は、脱着位置と充電位置の中間点を境界として、サブケース４を脱着位置と充電位置のいずれかの方向に付勢する。したがって、サブケース４の位置を脱着位置と充電位置のいずれか一方に特定しながら位置決めできる。
【００３２】
駆動スプリング８が、サブケース４を脱着位置と充電位置とに弾性的に付勢する原理を図１６の（ａ）〜（ｃ）に示す。なお、図１６において、（ａ）は、サブケース４が脱着位置にある状態（図１０と図１２に相当）を、（ｃ）は、サブケース４が充電位置にある状態（図１１と図１３に相当）を、（ｂ）は、サブケース４が脱着位置と充電位置の中間点である境界位置にある状態をそれぞれ示している。この図に示すように、拡開バネである駆動スプリング８は、コイル部８Ｂから突出する両端部を、拡開方向である外側方向に折曲して折曲片を設けると共に、この折曲片を折曲している折曲部を連結部８Ａとして、ケース１の垂直リブ１Ａとサブケース４の垂直リブ４Ａとに連結している。ケース１の垂直リブ１Ａは、駆動スプリング８の第１の連結部８ａを挿通する連結孔１ａを開口しており、この連結孔１ａに第１の連結部８ａを挿通して回転できるように連結している。サブケース４の垂直リブ４Ａは、駆動スプリング８の第２の連結部８ｂを挿通する連結孔４ａを開口しており、この連結孔４ａに第２の連結部８ｂを挿通して回転できるように連結している。この駆動スプリング８は、図１６に示すように、サブケース４が脱着位置にある状態と充電位置にある状態とで、コイル部８Ｂの位置が左右反転するように、連結孔１ａに連結される第１の連結部８ａを中心に回動して、サブケース４を脱着位置と充電位置とに弾性的に付勢する。言い換えると、駆動スプリング８は、連結孔１ａを中心として回動し、コイル部８Ｂの位置が左右反転することによって、第１の連結部８ａに対する第２の連結部８ｂの付勢方向を上下逆向きとして、サブケース４を脱着位置と充電位置とに弾性的に付勢する。
【００３３】
この駆動スプリング８は、図１６の（ａ）に示すように、サブケース４が脱着位置にある状態では、第２の連結部８ｂを第１の連結部８ａから離す方向、すなわち、矢印Ａで示す方向に、サブケース４を弾性的に付勢する。このため、サブケース４に矢印Ｂで示す方向に力が作用しても、この力が駆動スプリング８の弾性力よりも小さい場合には、サブケース４がこの方向に傾動するのを阻止する。この構造は、携帯機器９が装着されないサブケース４を弾性的に脱着位置に付勢するので、不意に作用する外力や振動等でサブケース４が充電位置に移動するのを阻止する。とくに、図の充電台においては、駆動スプリング８がサブケース４を弾性的に脱着位置に付勢することにより、脱着位置に移動されたサブケース４にストッパ６を確実に作用させて脱着位置に保持できる。また、携帯機器９をサブケース４に装着して充電するときには、携帯機器９の装着されたサブケース４を手で強制的に傾動させて充電位置に移動させる。したがって、駆動スプリング８の弾性力は、携帯機器９が装着されないサブケース４が脱着位置から充電位置に向かって不意に移動するのを確実に阻止しながら、携帯機器９が装着されたサブケース４を手で強制的に充電位置に移動できる付勢力とする。ただ、駆動スプリングの弾性力は、脱着ポケットに携帯機器が装着されると、携帯機器の自重でサブケースが充電位置に傾動する付勢力とすることもできる。この充電台は、脱着ポケットに携帯機器が装着されない状態では、サブケースは、駆動スプリングに付勢されて脱着位置に保持され、脱着ポケットに携帯機器が装着されると、サブケースは、携帯機器の自重で、速やかに充電位置に傾動される。
【００３４】
また、この駆動スプリング８は、図１６の（ｃ）に示すように、サブケース４が充電位置にある状態では、第２の連結部８ｂを第１の連結部８ａから離す方向、すなわち、矢印Ｃで示す方向に、サブケース４を弾性的に付勢する。このため、サブケース４に矢印Ｄで示す方向に力が作用しても、この力が駆動スプリング８の弾性力よりも小さい場合には、サブケース４がこの方向に傾動するのを阻止する。この構造は、携帯機器９が装着されたサブケース４を充電位置とする状態では、サブケース４を弾性的に充電位置に付勢するので、不意に作用する外力や振動等でサブケース４が脱着位置に移動するのを阻止して、サブケース４を充電位置に保持する。さらに、充電位置にあるサブケース４を充電位置に向かって弾性的に付勢することにより、サブケース４に装着される携帯機器９の電源端子９Ａを、出力端子３に弾性的に押圧する作用もある。したがって、サブケース４の電極窓２５から脱着ポケット５の内側に弾性的に突出する出力端子３の接触部３Ａを押圧状態で電源端子９Ａに接触させて、接触不良なく、確実に充電できる。また、充電終了後には、携帯機器９の装着されたサブケース４を手で強制的に傾動させて脱着位置に移動させる。したがって、駆動スプリング８の弾性力は、携帯機器９が装着されて充電位置にあるサブケース４が、脱着位置に向かって不意に移動するのを確実に阻止しながら、手で強制的に脱着位置に移動できる付勢力とする。また、サブケース４を充電位置とする状態において、駆動スプリング８の付勢力が、出力端子３の押圧力よりも強くなるようにして、充電位置にあるサブケース４が、駆動スプリング８で弾性的に充電位置に保持されるようにする。
【００３５】
ケース１は、全体をプラスチックで成形して、サブケース４を配設する部分に開口部１０を設けて、この開口部１０にサブケース４を配設している。サブケース４には脱着ポケット５を設けて、ここに携帯機器９を脱着自在にセットするようにしている。さらに、ケースは、開口部１０をサブケース４で閉塞して、内部には出力端子３を配設している。ケース１は内部に回路基板７を固定して、この回路基板７に出力端子３を固定している。出力端子３は、ケース１の外部に露出しないようにケース１に内蔵している。
【００３６】
出力端子３は、弾性金属線で制作されて、後端を回路基板７にハンダ付けなどの方法で固定して、先端部を山形に折曲して接触部３Ａとしている。接触部３Ａは、充電位置に移動されたサブケース４の電極窓２５から脱着ポケット５には弾性的に突出するが、脱着位置にあるサブケース４の脱着ポケット５には突出しない高さの山形に加工される。図の出力端子３は、弾性金属線の中間部分をコイル状に巻いてコイルスプリング３Ｂとしている。この出力端子３は、コイルスプリング３Ｂを弾性的に変形して、山形に折曲された接触部３Ａを弾性的に携帯機器９の電源端子９Ａに押圧できる。出力端子３は、回路基板７を介して充電回路（図示せず）に接続される。充電台は、ケースに充電回路を内蔵し、あるいは充電回路を内蔵しない。充電回路を内蔵しない充電台は、ケースに設けたコネクタに電源アダプタを接続して、外部から充電電流が供給される。
【００３７】
ストッパ６は、携帯機器９のセットされないサブケース４を脱着位置にロックして、携帯機器９をセットする状態でロック状態を解除して、サブケース４を脱着位置から充電位置に移動させる。第１の実施例の充電器は、ストッパ６であるストッパアーム１６をサブケース４に連結している。ストッパアーム１６は、サブケース４に挿入される携帯機器９に押されて、ロック状態を解除する。サブケース４に携帯機器９が挿入されない状態では、引っ張りバネ１９に引っ張られてロック位置に移動される。ストッパアーム１６はサブケース４の背面にあって、上端部をケース内面に突出する係止部１４に係止して、サブケース４が後方に傾動するのをロックする。
【００３８】
ストッパアーム１６は、長手方向に往復運動できるように、下端部と上端部とをサブケース４の背面に連結している。ストッパアーム１６の下端部には、その両側に突出するように摺動軸１７を設けている。この摺動軸１７を介してストッパアーム１６をサブケース４に連結するために、サブケース４は、その背面から下に伸びるように一対の延長アーム２６を一体的に成形して設けている。一対の延長アーム２６は、サブケース４の背面プレート２０の内面に沿って下方に伸びるように設けている。さらに、一対の延長アーム２６は、対向面にガイド溝２６Ａを設けている。このガイド溝２６Ａにストッパアーム１６の摺動軸１７を入れて、摺動軸１７をガイド溝２６Ａに沿って移動できるように連結している。さらに、ストッパアーム１６の上端は、サブケース４の背面プレート２０の上端縁に連結しているカバープレート２４に設けた貫通孔２４Ａに摺動できるように挿入している。ストッパアーム１６は、下端部を摺動軸１７を介して延長アーム２６に連結し、さらに上端部をカバープレート２４に設けて貫通孔２４Ａに挿入して、サブケース４に対して長手方向に移動できるように連結している。
【００３９】
さらに、ストッパアーム１６は、その下端部の上面に、サブケース４の脱着ポケット５の底部に突出するストッパ凸部１８を設けている。ストッパ凸部１８は、サブケース４の背面プレート２０と底の周壁２１との境界部分に設けたスリット開口２７から、脱着ポケット５に突出している。さらに、図６のサブケース４は、スリット開口２７の両側に一対のガイド壁２８を設けている。ガイド壁２８は脱着ポケット５の内面に突出するので、携帯機器９は、図１４に示すように、このガイド壁２８を案内する凹部９Ｃを設けると共に、ストッパ凸部１８を押し下げる押圧片６Ｅを設けている。
【００４０】
さらに、図９と図１５のケース１は、携帯機器９が脱着ポケット５から抜けるのを阻止する保持凸条１５を一体的に成形して設けている。この保持凸条１５は、充電位置にあるサブケース４の脱着ポケット５から携帯機器９が抜けるのを阻止する。携帯機器９は、保持凸条１５を案内する係止凹部９Ｄを設けている。係止凹部９Ｄは、携帯機器９を脱着ポケット５にセットして、サブケース４を充電位置に移動する状態で、保持凸条１５を案内するように設けられる。保持凸条１５は、脱着ポケット５の側部にあって、サブケース４の傾動方向に伸びるように設けられる。さらに、この保持凸条１５をサブケース４の脱着ポケット５内に突出させるために、サブケース４は、側面に保持凸条１５を移動できるように案内するスリット開口２９を設けている。サブケース４が脱着位置から充電位置に傾動するとき、保持凸条１５はスリット開口２９に沿って移動して、脱着ポケット５内に突出する。図１０と図１２に示すように、サブケース４が脱着位置にあるとき、保持凸条１５は脱着ポケット５に突出しない。したがって、脱着位置のサブケース４の脱着ポケット５に、携帯機器９を挿入するとき、保持凸条１５が邪魔になることはない。図１１と図１３に示すように、脱着位置のサブケース４に携帯機器９を挿入して、サブケース４が充電位置に傾動されると、保持凸条１５がスリット開口２９から脱着ポケット５に突出して、携帯機器９の係止凹部９Ｄに係止される。
【００４１】
以上の充電台は、以下のようにして、携帯機器の電池を充電する。
（１）サブケースの脱着ポケット５に携帯機器をセットしない状態（図６）
この状態で、出力端子３はサブケース４の脱着ポケット５に突出しない。出力端子３はケースの内部にあって外部に露出しない。さらに、この状態で、ストッパアーム１６は、引っ張りバネ１９に引っ張られて、ストッパ凸部１８を脱着ポケット５に突出させる位置にある。この位置にあるストッパアーム１６は、サブケース４をロック状態として、サブケース４が充電位置に移動するのをロックする。それは、図１２に示すように、ストッパアーム１６が引っ張りバネ１９に引っ張られて、ストッパ凸部１８を脱着ポケット５内に突出させる位置にあると、ストッパアーム１６の上端が、ケース１の内面に突出する係止部１４に係止されるからである。したがって、サブケース４に携帯機器９を挿入しない状態では、ストッパ６によってサブケース４が充電位置に移動することがなく、脱着ポケット５に出力端子３が突出することはない。
【００４２】
（２）サブケース４に携帯機器９を挿入する状態（図７）
この状態は、脱着ポケット５に挿入される携帯機器９が、ストッパアーム１６のストッパ凸部１８を脱着ポケット５から押し出して、ストッパアーム１６を下方に移動させる。下方に移動するストッパアーム１６は、上端がケース１の係止部１４から離れて、サブケース４のロック状態を解除する。ロック状態が解除されたサブケース４は、携帯機器９で後方に倒されるように移動されて、脱着位置から充電位置に移動する。サブケース４が充電位置に移動すると、図１３に示すように、脱着ポケット５に出力端子３が突出して、携帯機器９の電源端子９Ａに接触して電池を充電する。さらに、この状態において、ケース１の保持凸条１５が脱着ポケット５内に突出して、これが携帯機器９の係止凹部９Ｄに案内される。この状態で、携帯機器９は保持凸条１５で脱着ポケット５から抜けないように保持される。
【００４３】
この状態で携帯機器９の電池が充電されると、サブケース４を充電位置から脱着位置に傾動させる。サブケース４を脱着位置に移動して、ストッパ６をロック状態として、携帯機器９はサブケース４から外される。
【００４４】
さらに、図１７ないし図２６に示す第２の実施例の充電台は、携帯機器３９の携帯電話を脱着自在にセットするサブケース３４と、このサブケース３４を傾動できるように連結しているケース３１と、サブケース３４が脱着位置から充電位置に傾動するのを制限するストッパ３６と、サブケース３４にセットされる携帯電話の電源端子３９Ａに接触する出力端子３３とを備えている。
【００４５】
サブケース３４は、携帯機器３９である携帯電話を、上下に長い姿勢でセットできる脱着ポケット３５を有する。サブケース３４は、上方を開口する箱形にプラスチックを成形して、開口部の外側に上面プレート５０を連結している。上面プレート５０はアーチ状に湾曲して、サブケース３４が傾動する状態で、ケース３１の開口部４０を閉塞するようにしている。脱着ポケット３５は、携帯機器３９を上から下に挿入して定位置にセットできるように上方を開口して、携帯機器３９をスムーズに挿入できる四角い柱状としている。さらに、サブケース３４は、ケース３１に傾動できるように傾動軸５３を、下部の両側に突出するように一体的に成形して設けている。傾動軸５３は、ケース３１に設けられた傾動孔４１に回転できるように案内されて、サブケース３４を傾動できるようにケース３１に連結している。
【００４６】
サブケース３４は、携帯機器３９の上部を後方に傾斜する方向に傾動されて、脱着位置から充電位置に移動される。すなわち、サブケース３４は、図１９と図２１に示す脱着位置から、図２０と図２２に示す充電位置に傾動されて、セットされる携帯機器３９の電池を充電する。図のサブケース３４は、わずかに前方に傾斜する姿勢で携帯機器３９を脱着して、ほぼ垂直姿勢で携帯機器３９の電池を充電する。この充電台は、サブケース３４に携帯機器３９を上から下に挿入した後、携帯機器３９を垂直姿勢として電池を充電できる。
【００４７】
サブケース３４の傾動範囲を制限するために、図のサブケース３４は、上面プレート５０の両側に沿って位置決凹部５２を設けて、この位置決凹部５２の内側に、ケース３１の上蓋部３１Ｘに設けた位置決凸部４２を案内している。図のケース３１は、上蓋部３１Ｘの内面に突出して位置決凸部４２を設けている。このサブケース３４は、脱着位置と充電位置とにおいて、位置決凸部４２の端面を位置決凹部５２の内面に当接させて傾動が阻止される。すなわち、サブケース３４は、位置決凹部５２の両端の内面を、ケース３１の上蓋部３１Ｘの位置決凸部４２の端面に当接させる範囲内で傾動して、脱着位置と充電位置とに傾動される。
【００４８】
さらに、充電台は、サブケース３４を脱着位置と充電位置とに弾性的に付勢する駆動スプリング３８を備えている。この駆動スプリング３８も拡開バネで、前述の図１６に示す駆動スプリング８と同じ原理でサブケース３４を脱着位置と充電位置とに弾性的に付勢する。すなわち、駆動スプリング３８は、連結部３８Ａである第１の連結部３８ａをケース３１に設けた垂直リブ３１Ａの連結孔３１ａに連結すると共に、第２の連結部３８ａをサブケース３４の背面に設けた垂直リブ３４Ａの連結孔３４ａに連結している。この駆動スプリング３８も、脱着位置と充電位置との中間点を境界として、中間点より脱着位置側にあるサブケース３４を脱着位置方向に付勢し、中間点より充電位置側にあるサブケース３４を充電位置方向に付勢する構造としている。この駆動スプリング３８も、連結孔３１ａを中心として回動し、コイル部３８Ｂの位置が左右反転することによって、第１の連結部３８ａに対する第２の連結部３８ｂの付勢方向を逆向きとして、サブケース３４を脱着位置と充電位置とに弾性的に付勢する。
【００４９】
この構造は、携帯機器３９が装着されないサブケース３４を弾性的に脱着位置に付勢するので、不意に作用する外力や振動等でサブケース４が充電位置に移動するのを阻止する。とくに、図の充電台においては、駆動スプリング３８がサブケース３４を弾性的に脱着位置に付勢することにより、脱着位置に移動されたサブケース３４にストッパ３６を確実に作用させて脱着位置に保持できる。また、携帯機器３９をサブケース３４に装着して充電するときには、携帯機器３９の装着されたサブケース３４を手で強制的に傾動させて充電位置に移動させる。さらに、携帯機器３９が装着されたサブケース３４を充電位置とする状態では、サブケース３４を弾性的に充電位置に付勢するので、不意に作用する外力や振動等でサブケース３４が脱着位置に移動するのを阻止して、脱着ポケットに装着された携帯機器３９を、ほぼ垂直に近い姿勢で充電位置に保持しながら電池を充電できる。さらに、充電位置にあるサブケース３４の携帯機器３９の電源端子３９Ａを、出力端子３に弾性的に押圧させる状態に保持して、確実に充電できる。また、充電終了後には、携帯機器３９の装着されたサブケース３４を手で強制的に傾動させて脱着位置に移動させる。
【００５０】
ケース３１は、全体をプラスチックで成形して、アーチ状に湾曲する上面の上蓋部３１Ｘに開口部４０を設けて、この開口部４０にサブケース３４を配設している。サブケース３４が、ケース３１の開口部４０において前後に傾動すると、脱着ポケット３５の前後に隙間ができる。この隙間は、サブケース３４に一体的に成形している上面プレート５０で閉塞される。サブケース３４が傾動して、上面プレート５０が開口部４０を閉塞できるように、ケース上面の上蓋部３１Ｘとサブケース３４の上面プレート５０は、サブケース３４の傾動軸５３を中心とするアーチ状に湾曲している。開口部４０をサブケース３４で閉塞するケース３１は、内部に出力端子３３を配設している。ケース３１は、内部に回路基板３７を固定して、この回路基板３７に出力端子３３を固定している。出力端子３３は、ケース３１の外部に露出しないようにケース３１に内蔵される。
【００５１】
出力端子３３は、弾性金属線で制作されて、後端を回路基板３７にハンダ付けなどの方法で固定して、先端部を山形に折曲して接触部３３Ａとしている。接触部３３Ａは、充電位置に移動されたサブケース３４の電極窓５５から脱着ポケット３５に弾性的に突出するが、脱着位置にあるサブケース３４の脱着ポケット３５には突出しない高さの山形に加工される。図１９と図２０の出力端子３３は、水平部の後端を回路基板３７に固定して、垂直部の先端を山形に折曲して接触部３３Ａとしている。出力端子３３は、回路基板３７を介して充電回路（図示せず）に接続される。
【００５２】
ストッパ３６は、携帯機器３９のセットされないサブケース３４を脱着位置にロックして、携帯機器３９をセットする状態でロック状態を解除して、サブケース３４を脱着位置から充電位置に移動させる。第２の実施例の充電器は、図２１ないし図２６に示すように、ストッパ３６である一対の回動アーム４６をサブケース３４の両側に連結している。回動アーム４６は、サブケース３４に挿入される携帯機器３９に押されて、ロック状態を解除する。サブケース３４に携帯機器３９が挿入されない状態では、引っ張りバネ４３に引っ張られてロック位置に移動される。回動アーム４６は、サブケース３４の外側の両面にあって、先端の上部をケース３１内面に突出する係止部４４に係止して、サブケース３４が傾動するのをロックする。図に示すケース３１は、上蓋部３１Ｘの内面に突出して設けた位置決凸部４２の側面に、さらに突出する形状の凸部を設けて係止部４４としている。
【００５３】
回動アーム４６は、水平面内で回動できるように、後端部をサブケース３４の垂直回転軸５１に連結している。サブケース３４は、上面プレート５０の下面に突出して円柱状の垂直回転軸５１を一体的に成形して設けている。この垂直回転軸５１に連結される円柱状の連結孔４７を回動アーム４６の後端に設けている。回動アーム４６は、後端の連結孔４７に垂直回転軸５１を挿入して、水平面内で回動できるようにサブケース３４に連結している。
【００５４】
回動アーム４６は、サブケース３４をロック状態にするストッパ片４９を先端部に一体的に成形して設けている。ストッパ片４９は上方に伸びるように設けられて、ケース３１の上蓋部３１Ｘの内面に設けている係止部４４に当たって、サブケース３４をロック状態にする。脱着ポケット３５に携帯機器３９が挿入されない状態で、回動アーム４６をロック状態に保持するために、一対の回動アーム４６の先端を引っ張りバネ４３で連結している。
【００５５】
回動アーム４６は、ロック状態を解除するために、サブケース３４の側面から脱着ポケット３５の内面に突出するストッパ凸部４８を先端部に設けている。ストッパ凸部４８は、サブケース３４の側面に設けた貫通孔５７から脱着ポケット３５に突出する。このストッパ凸部４８は、引っ張りバネ４３が回動アーム４６の先端を弾性的に引っ張ることで、脱着ポケット３５の内面に弾性的に突出する。ストッパ凸部４８は、脱着ポケット３５に挿入される携帯機器３９で脱着ポケット３５から押し出される。ストッパ凸部４８が脱着ポケット３５から押し出されると、回動アーム４６のストッパ片４９はケース３１の係止部４４から外れて、サブケース３４のロック状態を解除する。図の携帯機器３９は、脱着ポケット３５に挿入される状態で、ストッパ凸部４８を案内するガイド溝３９Ｃを両側に設けている。
【００５６】
さらに、図２１ないし図２４のケース３１は、携帯機器３９が脱着ポケット３５から抜けるのを阻止する保持凸条４５を一体的に成形して設けている。この保持凸条４５は、充電位置にあるサブケース３４の脱着ポケット３５から携帯機器３９が抜けるのを阻止する。携帯機器３９は、保持凸条４５を案内する係止凹部３９Ｄを設けている。係止凹部３９Ｄは、携帯機器３９を脱着ポケット３５にセットして、サブケース３４を充電位置に移動する状態で、保持凸条４５を案内するように設けられる。保持凸条４５は、脱着ポケット３５の側部にあって、サブケース３４の傾動方向に伸びるように設けられる。さらに、この保持凸条４５をサブケース３４の脱着ポケット３５内に突出させるために、サブケース３４は、側面に保持凸条４５を移動できるように案内するスリット開口５９を設けている。サブケース３４が脱着位置から充電位置に傾動するとき、保持凸条４５はスリット開口５９に沿って移動して、脱着ポケット３５内に突出する。図２１と図２３に示すように、サブケース３４が脱着位置にあるとき、保持凸条４５は脱着ポケット３５に突出しない。したがって、脱着位置のサブケース３４の脱着ポケット３５に、携帯機器３９を挿入するとき、保持凸条４５が邪魔になることはない。図２２と図２４に示すように、脱着位置のサブケース３４に携帯機器３９を挿入して、サブケース３４が充電位置に傾動されると、保持凸条４５がスリット開口５９から脱着ポケット３５に突出して、携帯機器３９の係止凹部３９Ｄに係止される。
【００５７】
以上の充電台は以下のようにして、携帯機器の電池を充電する。
（１）サブケースの脱着ポケットに携帯機器をセットしない状態（図１７）
この状態で、出力端子３３は、サブケース３４の脱着ポケット３５に突出しない。出力端子３３は、ケース３１の内部にあって外部に露出しない。さらに、この状態で、回動アーム４６は、引っ張りバネ４３に引っ張られて、ストッパ凸部４８を脱着ポケット３５に突出させる位置にある。この位置にある回動アーム４６は、サブケース３４をロック状態として、サブケース３４が充電位置に移動するのをロックする。それは、図２５に示すように、回動アーム４６が引っ張りバネ４３に引っ張られて、ストッパ凸部４８を脱着ポケット３５内に突出させる位置にあると、図２３に示すように、回動アーム４６のストッパ片４９が、ケース３１の上蓋部３１Ｘの内面に突出する係止部４４に係止されるからである。したがって、サブケース３４に携帯機器３９を挿入しない状態では、ストッパ３６によってサブケース３４が充電位置に移動することがなく、脱着ポケット３５に出力端子３３が突出することはない。
【００５８】
（２）サブケースに携帯機器を挿入する状態（図１８）
この状態は、脱着ポケット３５に挿入される携帯機器３９が、回動アーム４６のストッパ凸部４８を脱着ポケット３５から押し出して、一対の回動アーム４６をサブケース３４の外側に向かって回動させる。回動される回動アーム４６は、ストッパ片４９がケース３１の係止部４４から離れて、サブケース３４のロック状態を解除する。ロック状態が解除されたサブケース３４は、駆動スプリング３８で押圧されて、脱着位置から充電位置に移動する。サブケース３４が充電位置に移動すると、図２０と図２６に示すように、脱着ポケット３５に出力端子３３が突出して、携帯機器３９の電源端子３９Ａに接触して電池を充電する。さらに、この状態において、ケース３１の保持凸条４５が脱着ポケット３５内に突出して、これが携帯機器３９の係止凹部３９Ｄに案内される。この状態で、携帯機器３９は保持凸条４５で脱着ポケット３５から抜けないように保持される。
【００５９】
この状態で携帯機器３９の電池が充電されると、サブケース３４を充電位置から脱着位置に傾動させる。サブケース３４を脱着位置に移動して、ストッパ３６をロック状態として、携帯機器３９はサブケース３４から外される。
【００６０】
さらに、図２７ないし図３４に示す第３の実施例の充電台は、携帯機器６９の携帯電話を脱着自在にセットするサブケース６４と、このサブケース６４をケース６１に傾動できるように連結しているケース６１と、サブケース６４が脱着位置から充電位置に傾動するのを制限するストッパ６６と、サブケース６４にセットされる携帯電話の電源端子６９Ａに接触する出力端子６３とを備えている。
【００６１】
サブケース６４は、携帯機器６９である携帯電話を、長手方向に挿入する脱着ポケット６５を有する箱形にプラスチックを成形して、開口部の下側には前面プレート８０を連結している。前面プレート８０はアーチ状に湾曲して、サブケース６４の脱着位置において、ケース６１に設けている開口部７０を閉塞するようにしている。サブケース６４は、携帯機器６９を水平方向に挿入して定位置にセットできる脱着ポケット６５を内側に設けるように、前方を開口している四角い筒状としている。さらに、サブケース６４は、ケース６１に傾動できるように傾動軸８３を、後端部の両側に突出するように一体的に成形して設けている（図３３、図３４参照）。傾動軸８３は、ケース６１に設けられた傾動孔７１に回転できるように案内されて、サブケース６４を傾動できるようにケース６１に連結している。
【００６２】
サブケース６４は、挿入される携帯機器６９の手前を下に移動させるように傾動されて、脱着位置から充電位置に移動される。すなわち、サブケース６４は、図２９と図３１に示す脱着位置から、図３０と図３２に示す充電位置に傾動されて、セットされる携帯機器６９の電池を充電する。図のサブケース６４は、水平な姿勢からやや傾斜する姿勢で携帯機器６９を脱着し、携帯機器６９の手前を降下させるように傾動して、ほぼ水平な姿勢で携帯機器６９の電池を充電する。この充電台は、サブケース６４に携帯機器６９をやや傾斜する姿勢で挿入した後、携帯機器６９を水平姿勢として電池を充電できる。
【００６３】
サブケース６４の傾動範囲を制限するために、図のサブケース６４は、脱着位置と充電位置とにおいて、部分的にケース６１に当接させて傾動が阻止されるようにしている。図のサブケース６４は、脱着位置において、脱着ポケット６５の底面（図２９において右端面）をケース６１の開口部７０に設けた当接面７２に当接させると共に、充電位置においては、サブケース６４の下端をケース６１の底面に当接させて傾動範囲を制限している。
【００６４】
さらに、充電台は、サブケース６４を脱着位置と充電位置とに弾性的に付勢する駆動スプリング６８を備えている。この駆動スプリング６８も拡開バネで、前述の図１６に示す駆動スプリング８と同じ原理でサブケース６４を脱着位置と充電位置とに弾性的に付勢する。すなわち、駆動スプリング６８は、連結部６８Ａである第１の連結部６８ａをケース６１に設けた垂直リブ６１Ａの連結孔６１ａに連結すると共に、第２の連結部６８ａをサブケース６４の背面に設けた垂直リブ６４Ａの連結孔６４ａに連結している。この駆動スプリング６８も、脱着位置と充電位置との中間点を境界として、中間点より脱着位置側にあるサブケース６４を脱着位置方向に付勢し、中間点より充電位置側にあるサブケース６４を充電位置方向に付勢する構造としている。この駆動スプリング６８も、連結孔６１ａを中心として回動し、コイル部６８Ｂの位置が左右反転することによって、第１の連結部６８ａに対する第２の連結部６８ｂの付勢方向を逆向きとして、サブケース６４を脱着位置と充電位置とに弾性的に付勢する。
【００６５】
この構造は、携帯機器が装着されないサブケース６４を弾性的に脱着位置に付勢するので、脱着位置に移動されたサブケース６４にストッパ６６を確実に作用させて脱着位置に保持できる。また、携帯機器６９をサブケース６４に装着して充電するときには、携帯機器６９の装着されたサブケース６４を手で強制的に傾動させて充電位置に移動させ、あるいは、携帯機器の自重でサブケースを充電位置に傾動させる。さらに、携帯機器６９が装着されたサブケース６４を充電位置とする状態では、駆動スプリング６８でサブケース６４を弾性的に充電位置に付勢すると共に、携帯機器６９の自重も同方向に作用するので、不意に作用する外力や振動等でサブケース６４が脱着位置に移動するのを阻止して、サブケース６４が充電位置に保持される。また、充電終了後には、携帯機器６９の装着されたサブケース６４を手で強制的に傾動させて脱着位置に移動させる。
【００６６】
ケース６１は、全体をプラスチックで成形して、上面に開口部７０を設けて、この開口部にサブケース６４を配設し、手前を除くサブケース６４の三方の外側には外周壁６１Ｘを設けている。外周壁６１Ｘの高さは、サブケース６４の厚さにほぼ等しく、かつ、脱着位置にあるサブケース６４の上面と同一面となるように成形している。サブケース６４が、ケース６１の開口部７０において上下に傾動すると、脱着ポケット６５の下に隙間ができる。この隙間は、サブケース６４に一体的に成形している前面プレート８０で閉塞される。サブケース６４が傾動して、前面プレート８０が開口部７０を閉塞できるように、前面プレート８０は、サブケース６４の傾動軸８３を中心とするアーチ状に湾曲している。開口部７０を前面プレート８０で閉塞するケース６１は、内部に出力端子６３を配設している。ケース６１は、内部に回路基板６７を固定して、この回路基板６７に出力端子６３を固定している。出力端子６３は、ケース６１の外部に露出しないようにケース６１に内蔵される。
【００６７】
出力端子６３は、図２９と図３０に示すように、弾性金属線で制作されて、後端を回路基板６７にハンダ付けなどの方法で固定して、先端部を山形に折曲して接触部６３Ａとしている。接触部６３Ａは、充電位置に移動されたサブケース６４の脱着ポケット６５に下から上に突出するが、脱着位置にあるサブケース６４の脱着ポケット６５には突出しない高さの山形に加工される。図の出力端子６３は、水平部の後端を回路基板６７に固定して、先端部を山形に折曲して接触部６３Ａとしている。出力端子６３は回路基板６７を介して充電回路（図示せず）に接続される。
【００６８】
ストッパ６６は、図３１と図３２に示すように、携帯機器６９のセットされないサブケース６４を脱着位置にロックして、携帯機器６９をセットする状態でロック状態を解除して、サブケース６４を脱着位置から充電位置に移動させる。第３の実施例の充電器は、ストッパ６６であるスライドアーム７６をサブケース６４に連結している。スライドアーム７６は、サブケース６４に挿入される携帯機器６９に押されて、ロック状態を解除する。サブケース６４に携帯機器６９が挿入されない状態では、押しバネ７９に押されてロック位置に移動される。スライドアーム７６は、サブケース６４の下にあって、先端部７６Ａをケース６１に一体的に成形している内面プレート７３の係止孔７４に挿入して、サブケース６４が充電位置に傾動するのをロックする。
【００６９】
スライドアーム７６は、長手方向に往復運動できるように、先端部７６Ａと後端部７６Ｂとをサブケース６４の下に連結している。スライドアーム７６は、後端部７６Ｂを、コイルスプリングの押しバネ７９に挿入している。押しバネ７９は、一端をケース６１の垂直リブ８８に当接させており、スライドアーム７６を弾性的に押圧して、スライドアーム７６をロック位置に向かって弾性的に押圧する。押しバネ７９に挿入されるスライドアーム７６の後端部７６Ｂは、スライドアーム７６が長手方向に移動しても、押しバネ７９が抜けない長さとしている。
【００７０】
さらに、スライドアーム７６は、後端部であってその両側に摺動軸７７を設けている。この摺動軸７７よりも後端部を押しバネ７９に挿入している。この摺動軸７７を介してスライドアーム７６をサブケース６４に連結するために、サブケース６４は、その下に後方に伸びるように一対の延長アーム８６を一体的に成形して設けている。一対の延長アーム８６は、サブケース６４の底面プレート８１の下面に沿って後方に伸びるように設けている。さらに、一対の延長アーム８６は、対向面にガイド溝８６Ａを設けている。このガイド溝８６Ａにスライドアーム７６の摺動軸７７を入れて、摺動軸７７をガイド溝８６Ａに沿って移動できるように連結している。さらに、スライドアーム７６の先端は、サブケース６４の前面プレート８０に設けた貫通孔８０Ａに摺動できるように挿入している。スライドアーム７６は、後端部を摺動軸７７を介して延長アーム８６に連結し、さらに先端部を前面プレート８０に設けた貫通孔８０Ａに挿入して、サブケース６４に対して長手方向に移動できるように連結している。
【００７１】
さらに、スライドアーム７６は、その上面に、ロック状態を解除するストッパ凸部７８を設けている。ストッパ凸部７８は、サブケース６４の脱着ポケット６５の底部に突出するように設けられる。ストッパ凸部７８は、サブケース６４の下面プレートと底との境界部分に設けたスリット開口８７から、脱着ポケット６５に突出している。ストッパ凸部７８は、脱着ポケット６５に挿入される携帯機器６９で脱着ポケット６５から押し出される。ストッパ凸部７８が脱着ポケット６５から押し出されると、スライドアーム７６の先端は、ケース６１の係止孔８１から引き抜かれて、サブケース６４のロック状態を解除する。
【００７２】
さらに、図３３と図３４のケース６１は、携帯機器６９が脱着ポケット６５から抜けるのを阻止する保持凸条７５を一体的に成形して設けている。この保持凸条７５は、充電位置にあるサブケース６４の脱着ポケット６５から携帯機器６９が抜けるのを阻止する。携帯機器６９は、保持凸条７５を案内する係止凹部３９Ｄを設けている。係止凹部３９Ｄは、携帯機器６９を脱着ポケット６５にセットして、サブケース６４を充電位置に移動する状態で、保持凸条７５を案内するように設けられる。保持凸条７５は、脱着ポケット６５の側部にあって、サブケース６４の傾動方向に伸びるように設けられる。さらに、この保持凸条７５をサブケース６４の脱着ポケット６５内に突出させるために、サブケース６４は、側面に保持凸条７５を移動できるように案内するスリット開口８９を設けている。サブケース６４が脱着位置から充電位置に傾動するとき、保持凸条７５はスリット開口８９に沿って移動して、脱着ポケット６５内に突出する。図３３と図３４に示すように、サブケース６４が脱着位置にあるとき、保持凸条７５は脱着ポケット６５に突出しない。したがって、脱着位置のサブケース６４の脱着ポケット６５に、携帯機器６９を挿入するとき、保持凸条７５が邪魔になることはない。図２８に示すように、脱着位置のサブケース６４に携帯機器６９を挿入して、サブケース６４が充電位置に傾動されると、保持凸条７５がスリット開口８９から脱着ポケット６５に突出して、携帯機器６９の係止凹部３９Ｄに係止される。
【００７３】
以上の充電台は以下のようにして、携帯機器の電池を充電する。
（１）サブケースの脱着ポケットに携帯機器をセットしない状態（図２７）
この状態で、出力端子６３は、サブケース６４の脱着ポケット６５に突出しない。出力端子６３は、ケース６１の内部にあって外部に露出しない。さらに、この状態で、スライドアーム７６は、押しバネ７９に押されて、ストッパ凸部７８を脱着ポケット６５に突出させる位置にある。この位置にあるスライドアーム７６は、サブケース６４をロック状態として、サブケース６４が充電位置に移動するのをロックする。それは、図３１に示すように、スライドアーム７６が押しバネ７９に押されて、ストッパ凸部７８を脱着ポケット６５内に突出させる位置にあると、スライドアーム７６の先端部７６Ａが、ケース６１の係止孔７４に挿入されるからである。したがって、サブケース６４に携帯機器６９を挿入しない状態では、ストッパ６６によってサブケース６４が充電位置に移動することがなく、脱着ポケット６５に出力端子６３が突出することはない。
【００７４】
（２）サブケースに携帯機器を挿入する状態（図２８）
この状態は、脱着ポケット６５に挿入される携帯機器６９が、スライドアーム７６のストッパ凸部７８を脱着ポケット６５から押し出して、スライドアーム７６を長手方向に移動させる。長手方向に移動されるスライドアーム７６は、先端部７６Ａがケース６１の係止孔７４から引き抜かれて、サブケース６４のロック状態を解除する。ロック状態が解除されたサブケース６４は、携帯機器６９の自重で水平に倒されるように傾動されて、脱着位置から充電位置に移動する。サブケース６４が充電位置に移動すると、図３３と図３４に示すように、脱着ポケット６５に出力端子６３が突出して、携帯機器６９の電源端子６９Ａに接触して電池を充電する。さらに、この状態において、ケース６１の保持凸条７５が脱着ポケット６５内に突出して、これが携帯機器６９の係止凹部３９Ｄに案内される。この状態で、携帯機器６９は保持凸条７５で脱着ポケット６５から抜けないように保持される。
【００７５】
この状態で携帯機器６９の電池が充電されると、サブケース６４を充電位置から脱着位置に傾動させる。サブケース６４を脱着位置に移動して、ストッパ６６をロック状態として、携帯機器６９はサブケース６４から外される。
【図面の簡単な説明】
【００７６】
【図１】従来の充電台の斜視図である。
【図２】図１に示す充電台の装着検知部の斜視図である。
【図３】図１に示す充電台の垂直縦断面図である。
【図４】図３に示す充電台に携帯機器を装着する状態を示す断面図である。
【図５】図３に示す充電台に携帯機器を装着した状態を示す断面図である。
【図６】本発明の第１の実施例にかかる充電台の斜視図である。
【図７】図６に示す充電台に携帯機器を装着した状態を示す斜視図である。
【図８】図７に示す充電台の脱着ポケットを示す斜視図である。
【図９】図７に示す充電台の内部構造を示す断面斜視図である。
【図１０】脱着位置にある充電台の出力端子部分を示す垂直横断面図である。
【図１１】充電位置にある充電台の出力端子部分を示す垂直横断面図である。
【図１２】脱着位置にある充電台のストッパ部分を示す垂直横断面図である。
【図１３】充電位置にある充電台のストッパ部分を示す垂直横断面図である。
【図１４】図６に示す充電台のサブケースと携帯機器の背面斜視図である。
【図１５】図６に示す充電台のケースの内部構造を示す斜視図である。
【図１６】駆動スプリングがサブケースを脱着位置と充電位置に付勢する原理を示す正面図である。
【図１７】本発明の第２の実施例にかかる充電台の斜視図である。
【図１８】図１７に示す充電台に携帯機器を装着した状態を示す斜視図である。
【図１９】脱着位置にある充電台の出力端子部分を示す垂直横断面図である。
【図２０】充電位置にある充電台の出力端子部分を示す垂直横断面図である。
【図２１】脱着位置にある充電台のストッパ部分を示す断面斜視図である。
【図２２】充電位置にある充電台のストッパ部分を示す断面斜視図である。
【図２３】脱着位置にある充電台のストッパ部分を示す断面斜視図である。
【図２４】充電位置にある充電台のストッパ部分を示す断面斜視図である。
【図２５】脱着位置にある充電台のストッパ部分を示す水平断面図である。
【図２６】充電位置にある充電台のストッパ部分を示す水平断面図である。
【図２７】本発明の第３の実施例にかかる充電台の斜視図である。
【図２８】図２７に示す充電台に携帯機器を装着した状態を示す斜視図である。
【図２９】脱着位置にある充電台の出力端子部分を示す垂直横断面図である。
【図３０】充電位置にある充電台の出力端子部分を示す垂直横断面図である。
【図３１】脱着位置にある充電台のストッパ部分を示す垂直横断面図である。
【図３２】充電位置にある充電台のストッパ部分を示す垂直横断面図である。
【図３３】図２７に示す充電台の内部構造を示す斜視図である。
【図３４】図３３に示す充電台の背面斜視図である。
【符号の説明】
【００７７】
１…ケース                １Ａ…垂直リブ
１ａ…連結孔
２…装着部
３…出力端子              ３Ａ…接触部
３Ｂ…コイルスプリング
４…サブケース            ４Ａ…垂直リブ
４ａ…連結孔
５…脱着ポケット          ５Ａ…開口部
６…ストッパ
７…回路基板
８…駆動スプリング        ８Ａ…連結部
８ａ…第１の連結部
８ｂ…第２の連結部
８Ｂ…コイル部
９…携帯機器              ９Ａ…電源端子
９Ｂ…本体画面
９Ｃ…凹部
９Ｄ…係止凹部
９Ｅ…押圧片
１０…開口部
１１…傾動孔
１２…当接面
１３…位置決リブ
１４…係止部
１５…保持凸条
１６…ストッパアーム
１７…摺動軸
１８…ストッパ凸部
１９…引っ張りバネ
２０…背面プレート
２１…周壁                ２１Ａ…保持部
２２…回転軸アーム
２３…傾動軸
２４…カバープレート      ２４Ａ…貫通孔
２５…電極窓
２６…延長アーム          ２６Ａ…ガイド溝
２７…スリット開口
２８…ガイド壁
２９…スリット開口
３１…ケース              ３１Ａ…垂直リブ
３１ａ…連結孔
３１Ｘ…上蓋部
３２…装着部
３３…出力端子            ３３Ａ…接触部
３４…サブケース          ３４Ａ…垂直リブ
３４ａ…連結孔
３５…脱着ポケット
３６…ストッパ
３７…回路基板
３８…駆動スプリング      ３８Ａ…連結部
３８ａ…第１の連結部
３８ｂ…第２の連結部
３８Ｂ…コイル部
３９…携帯機器            ３９Ａ…電源端子
３９Ｃ…ガイド溝
３９Ｄ…係止凹部
４０…開口部
４１…傾動孔
４２…位置決凸部
４３…引っ張りバネ
４４…係止部
４５…保持凸条
４６…回動アーム
４７…連結孔
４８…ストッパ凸部
４９…ストッパ片
５０…上面プレート
５１…垂直回転軸
５２…位置決凹部
５３…傾動軸
５５…電極窓
５７…貫通孔
５９…スリット開口
６１…ケース              ６１Ａ…垂直リブ
６１ａ…連結孔
６１Ｘ…外周壁
６２…装着部
６３…出力端子            ６３Ａ…接触部
６４…サブケース          ６４Ａ…垂直リブ
６４ａ…連結孔
６５…脱着ポケット
６６…ストッパ
６７…回路基板
６８…駆動スプリング      ６８Ａ…連結部
６８ａ…第１の連結部
６８ｂ…第２の連結部
６８Ｂ…コイル部
６９…携帯機器            ６９Ａ…電源端子
６９Ｄ…係止凹部
７０…開口部
７１…傾動孔
７２…当接面
７３…内面プレート
７４…係止孔
７５…保持凸条
７６…スライドアーム      ７６Ａ…先端部
７６Ｂ…後端部
７７…摺動軸
７８…ストッパ凸部
７９…押しバネ
８０…前面プレート        ８０Ａ…貫通孔
８１…底面プレート
８３…傾動軸
８５…電極窓
８６…延長アーム          ８６Ａ…ガイド溝
８７…スリット開口
８８…垂直リブ
８９…スリット開口
９０…装着検知部
９１…ケース
９２…装着部
９３…スプリング線        ９３Ａ…出力端子部
９４…傾動体
９５…端子窓
９６…貫通孔
９７…突出部
９９…携帯機器            ９９Ａ…電源端子
【図１】
0005202013.tif 000002
【図２】
0005202013.tif 000003
【図３】
0005202013.tif 000004
【図４】
0005202013.tif 000005
【図５】
0005202013.tif 000006
【図６】
0005202013.tif 000007
【図７】
0005202013.tif 000008
【図８】
0005202013.tif 000009
【図９】
0005202013.tif 000010
【図１０】
0005202013.tif 000011
【図１１】
0005202013.tif 000012
【図１２】
0005202013.tif 000013
【図１３】
0005202013.tif 000014
【図１４】
0005202013.tif 000015
【図１５】
0005202013.tif 000016
【図１６】
0005202013.tif 000017
【図１７】
0005202013.tif 000018
【図１８】
0005202013.tif 000019
【図１９】
0005202013.tif 000020
【図２０】
0005202013.tif 000021
【図２１】
0005202013.tif 000022
【図２２】
0005202013.tif 000023
【図２３】
0005202013.tif 000024
【図２４】
0005202013.tif 000025
【図２５】
0005202013.tif 000026
【図２６】
0005202013.tif 000027
【図２７】
0005202013.tif 000028
【図２８】
0005202013.tif 000029
【図２９】
0005202013.tif 000030
【図３０】
0005202013.tif 000031
【図３１】
0005202013.tif 000032
【図３２】
0005202013.tif 000033
【図３３】
0005202013.tif 000034
【図３４】
0005202013.tif 000035